(57)【特許請求の範囲】
【請求項１】
地中連続壁の構築方法において、
地中に形成された掘削溝に鉄筋篭を建て込む際、
鉄筋篭の掘削面に対向する面にコンクリート流出防止シートを配置し、
伸縮材でコンクリート流出防止シートを鉄筋篭側に引寄せた状態で建て込みを行い、
建て込みの後に、伸縮材を切断し、
コンクリート流出防止シートの内部にコンクリートを打設することを特徴とする、
地中連続壁の構築方法。
【請求項２】
請求項１に記載の地中連続壁の構築方法において、
伸縮材はゴムひもであることを特徴とする、
地中連続壁の構築方法。
【発明の詳細な説明】
【０００１】
【産業上の利用分野】
本発明は、地中連続壁の構築方法に関するものである。
【０００２】
【従来の技術】
従来、図５乃至図６のように、地中連続壁を構築する際、地中に水平多軸回転カッタ式掘削機などで掘削溝ｅを形成し、掘削溝ｅにコンクリート流出防止シートｃで側面を覆った鉄筋篭ａを建て込む。次に、コンクリート流出防止シートｃの中にコンクリートを打設し、隣接する鉄筋篭ａを建込み、これらを連結して地中連続壁を構築していく。
コンクリートを打設する際、コンクリートが鉄筋篭ａの仕切板ｂの外側に回り込まないように、鉄筋篭ａの両端の仕切板ｂの間にコンクリート流出防止シートｃを取り付けていた。
このコンクリート流出防止シートｃは、掘削溝の地山の凹凸に追従できるように鉄筋篭ａの長さより長めにしてある。
そして、コンクリート流出防止シートｃの取り付けられた鉄筋篭ａを掘削溝ｅに建込み、コンクリート流出防止シートｃ内にコンクリートを打設する。
更に、隣接する鉄筋篭を建込み、鉄筋篭を連結し、コンクリートを打設して、地中連続壁を構築していた。
【０００３】
【発明が解決しようとする問題点】
しかし、従来の方法では、次のような問題点がある。
＜イ＞コンクリート流出防止シートｃを取り付けた鉄筋篭ａを掘削溝ｅに建て込む際、コンクリート流出防止シートｃが仕切板ｂよりはみ出て、はみ出し部ｄが掘削溝の地山と仕切板ｂとの間に挟まり、はみ出し部ｄが切断されてしまったり、穴が開いていまうことがあった。
コンクリート流出防止シートｃが切断するか又は穴が開くと、コンクリートを打設した際、コンクリートが切断箇所などから隣接する掘削溝側に流出し、隣接する鉄筋篭の建込みの作業に支障をきたしていた。
【０００４】
【本発明の目的】
本発明は、地中連続壁構築用のコンクリート流出防止シートの破損を防止することにある。
【０００５】
【問題点を解決するための手段】
本発明は、地中連続壁の構築方法において、地中に形成された掘削溝に鉄筋篭を建て込む際、鉄筋篭の掘削面に対向する面にコンクリート流出防止シートを配置し、伸縮材でコンクリート流出防止シートを鉄筋篭側に引寄せた状態で建て込みを行い、建て込みの後に、伸縮材を切断し、コンクリート流出防止シートの内部にコンクリートを打設することを特徴とする、地中連続壁の構築方法、または伸縮材はゴムひもであることを特徴とする、地中連続壁の構築方法である。
【０００６】
【実施例】
以下、図面を用いて本発明の実施例を説明する。
＜イ＞地中連続壁構築の概要（図１）
地中連続壁は、コンクリート流出防止シート２を側面に取り付けた鉄筋篭１を掘削溝に建込み、コンクリートを打設し、隣接する鉄筋篭１を建込み、これらの作業を繰り返して構築される。
鉄筋篭１は、両端に仕切板１１を有する。仕切板１１は、打設したコンクリートが隣接する掘削溝に流出するのを防止すると共に、隣接する鉄筋篭１との連結などに用いられる。
【０００７】
＜ロ＞コンクリート流出防止シート（図１、図２）
コンクリート流出防止シート２は、コンクリート堰止め用シートであり、通常、例えばベラシート、キャンパスシート、土木シートなどと呼ばれている。
コンクリート流出防止シート２は、例えば、鉄筋篭１の両側面において、鉄筋篭１の側面の長さより長めに取り、鉄筋篭１両端の仕切板１１の端部１２間に配置される。
コンクリート流出防止シート２を鉄筋篭１の内側方向へ引っ張られた状態にする。
引っ張る手段は、伸縮性のある伸縮材がよく、例えば、ゴムひも２１を用い、ゴムひも２１の一端をコンクリート流出防止シート２に取り付け、他端を鉄筋篭１又は反対側のコンクリート流出防止シート２に取り付ける。
ゴムひも２１をコンクリート流出防止シート２の複数箇所に取り付け、コンクリート流出防止シート２を内側に引かれた状態にする。
【０００８】
＜ハ＞切断器（図３、図４）
コンクリート流出防止シート２内にコンクリートを打設する際、ゴムひも２１を切断するか、又はそのままの状態にしておく。
ゴムひも２１が十分に伸びる場合は、そのままの状態でもコンクリートの打設により、コンクリート流出防止シート２が掘削溝の地山の凹凸に追従する。
ゴムひもを切断する場合、切断器３を使用する。切断器３は、例えば図３のような筒状の構成とする。切断器３は、鋼管３１にキャップ３２を取り付け、上方から吊り下げられるようにし、鋼管３１の下部周囲には切断刃３３を設ける。切断刃３３は、鋸歯のようにジグザグの形状とする。
【０００９】
以下に、地中連続壁の構築方法を説明する。
＜イ＞コンクリート流出防止シートの取り付け
鉄筋篭１の両側で、両端にある仕切板１１の端部１２の間にコンクリート流出防止シート２を取り付ける。コンクリート流出防止シート２は、鉄筋篭１の両端間の長さより長くして、掘削溝の地山に当接するようにする。
コンクリート流出防止シート２にゴムひも２１の一端を取り付け、他端を反対側のコンクリート流出防止シート２又は鉄筋篭１に取り付け、コンクリート流出防止シート２が鉄筋篭１の内側に引かれた状態にする。
ゴムひも２１の一端は予めコンクリート流出防止シート２に取り付けておいてもよいし、鉄筋篭の建込み時に取り付けてもよい。
【００１０】
＜ロ＞鉄筋篭の建込み
コンクリート流出防止シート２を取り付けた鉄筋篭１をクレーンで吊り上げ、掘削溝に挿入する。その際、コンクリート流出防止シート２がゴムひも２１で鉄筋篭１の内側に引かれた状態にあるので、掘削溝の地山と鉄筋篭１の間に挾まれて切断したり穴が開いたりするのを防止できる。
【００１１】
＜ハ＞ゴムひもの切断
ゴムひも２１を切断する場合、切断器３をゴムひも２１の上方から吊り下ろし、切断器３の下部の切断刃３３でゴムひも２１を切断する。切断刃３３が鋸状であるので、ゴムひも２１がずれることなく容易に切断することができる。
【００１２】
＜ニ＞コンクリートの打設
コンクリート流出防止シート２の内部にコンクリートを打設し、次いで隣接する鉄筋篭１を建込み、両者の境界にある仕切板１１を連結し、コンクリートを打設し、これらを繰り返して地中連続壁を構築する。
【００１３】
【発明の効果】
本発明は、次のような効果を得ることができる。
＜イ＞鉄筋篭を掘削溝に建て込む際、コンクリート流出防止シートがゴムひもなどで鉄筋篭の内側に引かれた状態にあるので、コンクリート流出防止シートが仕切板よりはみ出すことがない。
その結果、コンクリート流出防止シートは、仕切板と地山に挾まれて切断したり穴が開いたりすることを防止できる。
したがって、コンクリートを打設した際、コンクリートが切断箇所などから隣接する掘削溝側に流出し、隣接する鉄筋篭の建込み作業に支障をきたすこともなくなる。
【図面の簡単な説明】
【図１】掘削溝に鉄筋篭を建て込ん状態の平面図
【図２】図１の側面図
【図３】切断器の側面図
【図４】切断器の使用説明図
【図５】従来の掘削溝に鉄筋篭を建て込ん状態の平面図
【図６】従来の鉄筋篭にコンクリート流出防止シートを取り付けた斜視図
【符号の説明】
１・・・鉄筋篭
１１・・仕切板
２・・・コンクリート流出防止シート
２１・・ゴムひも
３・・・切断器
【図１】
0003824366.tif 000002
【図２】
0003824366.tif 000003
【図３】
0003824366.tif 000004
【図４】
0003824366.tif 000005
【図５】
0003824366.tif 000006
【図６】
0003824366.tif 000007